(57)【特許請求の範囲】
【請求項１】
開口を有する栓体と、
前記栓体に、前記開口を塞ぐ閉位置から当該開口を開放する開位置にかけて回動自在に設けられた第１蓋部と、
前記第１蓋部を前記開位置へ付勢する付勢部と、
第１ロック部を有するロック機構とを備えており、
前記栓体は、切欠き部が設けられた外筒と、
前記外筒内に配置された内筒と、
前記内筒と前記外筒との間の収容空間とを有しており、
前記第１蓋部は、当該第１蓋部が前記閉位置に位置しているとき、前記収容空間に挿入される係止凸部を有しており、
前記第１ロック部は、前記切欠き部から前記外筒の外部に部分的に突出しており且つ初期位置から前記内筒に接近する可動位置にかけて移動可能な第１操作部と、
前記収容空間内に配置されており且つ前記内筒に沿って延びた弾性変形可能な円弧状の一対のロックアームとを有しており、
前記ロックアームは、前記第１操作部の両端に接続された基端部と、
先端部とを有しており、
前記第１操作部が前記初期位置に位置しているとき、前記ロックアームの先端部が前記収容空間内に位置した前記係止凸部を挟持し、
前記第１操作部が前記可動位置に位置しているとき、前記ロックアームの基端部が前記内筒に押し付けられ、当該ロックアームが互いに離れる方向に弾性変形し、当該ロックアームの先端部が前記係止凸部を解放する飲料容器の蓋体。
【請求項２】
請求項１記載の飲料容器の蓋体において、
前記ロックアームは、前記先端部に設けられ且つ前記外筒側に延びた凸部を更に有しており、
前記ロック機構は、第２ロック部を更に有しており、
前記第２ロック部は、前記第１蓋部に前記係止凸部の突出方向に移動自在に設けられたベースと、
前記ベースに設けられており且つ当該ベースの移動に伴って、前記第１蓋部から突出し、前記係止凸部の両側に配置される突出位置から前記ロック片が前記第１蓋部内に収容される収容位置にかけて移動可能な一対のロック片と、
前記ベースに設けられた第２操作部とを有しており、
前記突出位置に位置した前記ロック片が、前記係止凸部と共に前記収容空間に挿入され、前記ロックアームの凸部の外側に位置する飲料容器の蓋体。
【請求項３】
請求項１記載の飲料容器の蓋体において、
前記ロックアームの先端部は、前記外筒に対向する外面を更に有しており、
前記ロック機構は、第２ロック部を更に有しており、
前記第２ロック部は、前記第１蓋部に前記係止凸部の突出方向に移動自在に設けられたベースと、
前記ベースに設けられており且つ当該ベースの移動に伴って、前記第１蓋部から突出し、前記係止凸部の両側に配置される突出位置から前記ロック片が前記第１蓋部内に収容される収容位置にかけて移動可能な一対のロック片と、
前記ベースに設けられた第２操作部とを有しており、
前記突出位置に位置した前記ロック片が、前記係止凸部と共に前記収容空間に挿入され、前記ロックアームの先端部の外面に当接する飲料容器の蓋体。
【請求項４】
請求項１記載の飲料容器の蓋体において、
第２蓋部を更に備えており、
前記第１蓋部は収容凹部を有しており、
前記第２蓋部は、前記第１蓋部に、前記収容凹部を開閉可能に設けられている飲料容器の蓋体。
【請求項５】
請求項４記載の飲料容器の蓋体において、
前記第１蓋部は、前記収容凹部内に設けられた台座である閉塞部を更に有しており、
前記第２蓋部は、前記第１蓋部に回転自在に設けられており且つ当該第２蓋部の回転に伴って、前記閉塞部に閉塞される閉塞位置から前記閉塞部の閉塞が少なくとも部分的に解除され、前記収容凹部に少なくとも部分的に連通する開放位置にかけて移動可能な出し入れ口を有している飲料容器の蓋体。
【請求項６】
請求項１〜５の何れかに記載の飲料容器の蓋体と、
前記蓋体が固着された飲料容器本体とを備えた飲料容器。
【発明の詳細な説明】
【技術分野】
【０００１】
本発明は、飲料容器の蓋体及びこれを備えた飲料容器に関する。
【背景技術】
【０００２】
この種の飲料容器の蓋体としては特許文献１に記載されたものがある。蓋体は、栓体と、蓋部と、付勢部と、ロック機構とを有している。栓体は、飲料容器の口部に取り付け可能である。蓋部は、栓体にヒンジを介して開閉自在に装着されている。蓋部は、第１フックを有している。付勢部は、捩じりコイルバネであって、栓体と蓋部との間に介在し、当該蓋部を開方向に付勢している。
【０００３】
ロック機構は、操作部と、第２フックと、バネとを有している。操作部は、栓体の外面にシーソー運動可能に設けられている。第２フックは、操作部に設けられており且つ当該操作部のシーソー運動に伴って、第１フックに係止される係止位置から第１フックとの係止が解除される解除位置にかけて移動可能である。バネは、栓体と操作部との間に介在し、第２フックが係止位置に位置するように操作部を付勢している。
【０００４】
上述した蓋体は、操作部がバネの付勢力に抗して操作されると、第２フックが係止位置から解除位置にかけて移動し、第１、第２フックの係止が解除される。これにより、付勢部の付勢力より蓋部が自動的に開く。
【先行技術文献】
【特許文献】
【０００５】
【特許文献１】特開２００３-２１２２５９号公報
【発明の概要】
【発明が解決しようとする課題】
【０００６】
上記ロック機構は、操作部と、第２フックと、バネとが必要不可欠であり、部品点数が多い。また、操作部は栓体の外面に設けられ、操作部と栓体との間にはバネが介在している。このため、操作部が栓体から外側に突出している。他方、飲料容器本体は、持ち運びの容易性等の観点から小型化が求められている。飲料容器本体の小型化に伴って蓋体を小型化すると、ロック機構の操作部の突出が顕著となるので、操作部が目立ち不格好となる。
【０００７】
本発明は、上記事情に鑑みて創案されたものであって、その目的とするところは、部品点数の低減及びロック機構の栓体の外側への突出量を低減することができる飲料容器の蓋体及びこれを備えた飲料容器を提供することにある。
【課題を解決するための手段】
【０００８】
上記課題を解決するために、本発明の飲料容器の蓋体は、開口を有する栓体と、前記栓体に、前記開口を塞ぐ閉位置から当該開口を開放する開位置にかけて回動自在に設けられた第１蓋部と、前記第１蓋部を前記開位置へ付勢する付勢部と、ロック機構とを備えている。前記栓体は、切欠き部が設けられた外筒と、前記外筒内に配置された内筒と、前記内筒と前記外筒との間の収容空間とを有している。前記第１蓋部は、当該第１蓋部が前記閉位置に位置しているとき、前記収容空間に挿入される係止凸部を有している。前記ロック機構は、第１ロック部を有している。前記第１ロック部は、前記切欠き部から前記外筒の外部に部分的に突出しており且つ初期位置から前記内筒に接近する可動位置にかけて移動可能な第１操作部と、前記収容空間内に配置されており且つ前記内筒に沿って延びた弾性変形可能な円弧状の一対のロックアームとを有している。前記ロックアームは、前記第１操作部の両端に接続された基端部と、先端部とを有している。前記第１操作部が前記初期位置に位置しているとき、前記ロックアームの先端部が前記収容空間内に位置した前記係止凸部を挟持する。前記第１操作部が前記可動位置に位置しているとき、前記ロックアームの基端部が前記内筒に押し付けられ、当該ロックアームが互いに離れる方向に弾性変形し、当該ロックアームの先端部が前記係止凸部を解放する。
【０００９】
このような態様の飲料容器の蓋体による場合、第１操作部が操作され、初期位置から可動位置に移動すると、ロックアームの基端部が内筒に押し付けられ、当該ロックアームが互いに離れる方向に弾性変形し、当該ロックアームの先端部が第１蓋部の係止凸部を解放する。これにより、第１蓋部が付勢部の付勢力により閉位置から開位置へ自動的に回動する。その後、第１蓋部が付勢部の付勢力に抗して開位置から閉位置に回動させられると、係止凸部が収容空間内に挿入される。第１操作部が解放されると、ロックアームが復元し、ロックアームの先端部が収容空間内に位置した係止凸部を挟持すると共に、第１操作部が可動位置から初期位置に移動する。このようにロック機構の第１ロック部は、従来例の如く第１操作部を初期位置に復帰させるバネを必要としないので、ロック機構の部品点数を低減することができる。しかも、ロックアームは、栓体の外筒と内筒との間の収容空間に収容され、第１操作部が切欠き部から外筒の外部に部分的に突出しているだけである。よって、ロック機構の栓体の外側への突出量を抑制することができ、飲料容器本体及び蓋体が小型化されたとしても、第１操作部が不格好に目立ち難くすることができる。
【００１０】
前記ロックアームは、前記先端部に設けられ且つ前記外筒側に延びた凸部を更に有する構成とすることが可能である。前記ロック機構は、第２ロック部を更に有する構成とすることが可能である。前記第２ロック部は、前記第１蓋部に前記係止凸部の突出方向に移動自在に設けられたベースと、前記ベースに設けられており且つ当該ベースの移動に伴って、前記第１蓋部から突出し、前記係止凸部の両側に配置される突出位置から前記ロック片が前記第１蓋部内に収容される収容位置にかけて移動可能な一対のロック片と、前記ベースに設けられた第２操作部とを有する構成とすることが可能である。前記突出位置に位置した前記ロック片が、前記係止凸部と共に前記収容空間に挿入され、前記ロックアームの凸部に外側に位置する構成とすることが可能である。
【００１１】
このような態様の飲料容器の蓋体による場合、第２ロック部の第２操作部を操作してロック片を突出位置に移動させ、当該ロック片を収容空間に挿入して、ロックアームの先端部の凸部に外側に位置させる。これにより、第１ロック部の第１操作部が操作されたとしても、ロックアームの凸部がロック片に当接するので、ロックアームが互いに離れる方向に弾性変形するのを防止することができる。すなわち、第２ロック部により、第１ロック部のロック状態が解除されるのを防止することができる。また、第２ロック部の第２操作部は、第１操作部と異なる位置に配置されるので、当該第２操作部の突出量を抑制することができる。
【００１２】
前記ロックアームの先端部は、前記外筒に対向する外面を更に有する構成とすることが可能である。この場合、前記突出位置に位置した前記ロック片が、前記係止凸部と共に前記収容空間に挿入され、前記ロックアームの先端部の外面に当接する構成とすることが可能である。
【００１３】
このような態様の飲料容器の蓋体による場合、第２ロック部の第２操作部を操作してロック片を突出位置に移動させ、当該ロック片を収容空間に挿入して、ロックアームの先端部の外面に当接させる。これにより、第１ロック部の第１操作部が操作されたとしても、ロックアームが互いに離れる方向に弾性変形するのを防止することができる。すなわち、第２ロック部により、第１ロック部のロック状態が解除されるのを防止することができる。
【００１４】
前記第１蓋部は収容凹部を有した構成とすることが可能である。前記飲料容器の蓋体は、前記第１蓋部に、前記収容凹部を開閉可能に設けられた第２蓋部を更に備えた構成とすることが可能である。
【００１５】
このような態様の飲料容器の蓋体による場合、第１蓋部の収容凹部に、薬、サプリメント又は清涼菓子等を収容することができる。すなわち、第１蓋部をタブレットケースとして使用することができる。
【００１６】
前記第１蓋部は、前記収容凹部内に設けられた台座である閉塞部を更に有する構成とすることが可能である。前記第２蓋部は、前記第１蓋部に回転自在に設けられた構成とすることが可能である。前記第２蓋部は、当該第２蓋部の回転に伴って、前記閉塞部に閉塞される閉塞位置から前記閉塞部の閉塞が少なくとも部分的に解除され、前記収容凹部に少なくとも部分的に連通する開放位置にかけて移動可能な出し入れ口を有する構成とすることが可能である。
【００１７】
このような態様の飲料容器の蓋体による場合、第２蓋部を回転させ、当該第２蓋部の出し入れ口を開放位置に移動させるだけで、出し入れ口から薬、サプリメント又は清涼菓子等を取り出すことができる。
【００１８】
本発明の飲料容器は、上述した何れかの態様の飲料容器の蓋体と、前記蓋体が固着された飲料容器本体とを備えている。
【図面の簡単な説明】
【００１９】
【図１Ａ】本発明の実施例に係る飲料容器の蓋体の斜視図であって、前記蓋体の第１、第２蓋部が閉位置に位置した状態を示す斜視図である。
【図１Ｂ】前記蓋体の斜視図であって、前記蓋体の第１、第２蓋部が開位置に位置した状態を示す斜視図である。
【図２Ａ】前記蓋体の概略的正面図であって、当該蓋体のロック機構の第１、第２ロック部のロック状態を示す図である。
【図２Ｂ】前記蓋体の概略的正面図であって、前記ロック機構の前記第１ロック部のロック状態である一方、前記第２ロック部のロック解除状態を示す図である。
【図２Ｃ】前記蓋体の概略的正面図であって、前記ロック機構の前記第１、第２ロック部のロック解除を示す図である。
【図２Ｄ】前記蓋体の概略的正面図であって、前記第１蓋部が開位置に位置した状態を示す図である。
【図３Ａ】前記蓋体の図２Ａ中の３Ａ−３Ａ断面図である。
【図３Ｂ】前記蓋体の図２Ｂ中の３Ｂ−３Ｂ断面図である。
【図３Ｃ】前記蓋体の図２Ｃ中の３Ｃ−３Ｃ断面図である。
【図３Ｄ】前記蓋体の図２Ｄ中の３Ｄ−３Ｄ断面図である。
【図４】前記蓋体の第２蓋部を取り外した状態の平面図である。
【図５】本発明の実施例に係る飲料容器の斜視図である。
【発明を実施するための形態】
【００２０】
以下、本発明の実施例に係る飲料容器の蓋体Ｃについて図１Ａ〜図４を参照しつつ説明する。蓋体Ｃは、栓体１００と、第１蓋部２００ａと、第２蓋部２００ｂと、ヒンジ機構３００と、一対の付勢部４００と、ロック機構５００とを備えている。以下、蓋体Ｃの各構成要素について詳しく説明する。
【００２１】
栓体１００は、図１Ａ〜図３Ｄに示すように、樹脂製の成形品である。栓体１００は、外筒１１０と、内筒１２０と、前側板１３０と、連結部１４０と、天板１５０と、飲み口１６０とを有している。
【００２２】
外筒１１０は、図１Ａ〜図３Ｄに示すように、略円筒である。この外筒１１０の上縁は、当該外筒１１０の高さ寸法が後端部から前端部にかけて漸次低減するように傾斜している。外筒１１０の下縁はフラットである。外筒１１０の前端部には、外側に凸の突出部１１１が設けられている。外筒１１０の後端部には、略矩形状の切欠き部１１２が開設されている。
【００２３】
内筒１２０は、図３Ａ〜図３Ｄに示すように、内径が外筒１１０の外径よりも小さい円筒であって、外筒１１０内に配置されている。内筒１２０の高さ寸法は、図１Ｂに示すように、外筒１１０の高さ寸法よりも大きい。内筒１２０の内面には、図示しないネジ溝が形成されている。内筒１２０と外筒１１０との間に収容空間Ｓが形成されている。収容空間Ｓは、外筒１１０の切欠き部１１２と連通している。
【００２４】
前側板１３０は、図１Ｂに示すように、外筒１１０の突出部１１１の上端と内筒１２０の前端部の外面とを連結する略矩形状の板である。前側板１３０には、収容空間Ｓに連通する孔１３１が設けられている。連結部１４０は、外筒１１０の突出部１１１以外の上縁と内筒１２０の外面とを繋ぐように設けられている。
【００２５】
天板１５０は、図１Ｂ及び図３Ａ〜図３Ｄに示すように、内筒１２０の上端に連接され且つ内側に延びたリング状の板である。天板１５０の中央部に開口１５１が設けられている。天板１５０上の開口１５１の周りには、筒状の飲み口１６０が立設されている。飲み口１６０の上縁は、当該飲み口１６０の高さ寸法が前端部から後端部にかけて漸次低減するように傾斜している。
【００２６】
第１蓋部２００ａは、図１Ａ〜図４に示すように、樹脂製の成形品である。第１蓋部２００ａは、第１筒２１０ａと、天板２２０ａと、第２筒２３０ａと、収容凹部２４０ａと、閉塞部２５０ａと、係止凸部２６０ａとを有している。
【００２７】
第１筒２１０ａは、略円筒である。この第１筒２１０ａの下縁は、当該第１筒２１０ａの高さ寸法が後端部から前端部にかけて漸次増加するように傾斜している。すなわち、第１筒２１０ａの下縁は、栓体１００の外筒１１０の上縁の形状に対応した形状となっている。第１筒２１０ａの前端部には、部屋部２１１ａが設けられている。部屋部２１１ａは、略矩形状の筒である。部屋部２１１ａの上端部には、ガイド溝２１２ａが設けられている。部屋部２１１ａの下端には、係止凸部２６０ａが凸設されている。係止凸部２６０ａは、部屋部２１１ａの下端から第１筒２１０ａの高さ方向に沿って延びている。係止凸部２６０ａは、幅狭部２６１ａと、幅狭部２６１ａに連接された幅広部２６２ａとを有している。
【００２８】
天板２２０ａは、第１筒２１０ａの上縁に、当該第１筒２１０ａを塞ぐように設けられた円板である。天板２２０ａの上面には、円筒状の第２筒２３０ａが立設されている。第２筒２３０ａの外径は、第１筒２１０ａの外径よりも小さい。第２筒２３０ａと天板２２０ａとにより区画される空間が収容凹部２４０ａとなっている。収容凹部２４０ａ内には、半月状の台座である閉塞部２５０ａが設けられている。収容凹部２４０ａ内に、サプリメント、薬又は清涼菓子等を収容することが可能となっている。
【００２９】
ヒンジ機構３００は、軸支部３１０と、一対の軸受け部３２０と、軸３３０とを有している。軸支部３１０は、栓体１００の後端部の上面（外筒１１０及び連結部１４０の後端部の上面）に設けられている。軸支部３１０の幅方向の両端部には、図示しない一対の円柱状の収容穴が設けられている。軸支部３１０の収容穴の間には、当該収容穴を繋ぐ図示しない軸孔が設けられている。
【００３０】
軸受け部３２０は、第１蓋部２００ａの後端面（第１筒２１０ａの後端面）に間隔を空けて設けられている。軸受け部３２０の間の間隔は軸支部３１０の幅寸法よりも若干大きい。軸受け部３２０の間に軸支部３１０が挿入されている。軸受け部３２０には、当該軸受け部３２０を幅方向に貫通する軸孔３２１が設けられている。軸受け部３２０の軸孔３２１の中心と、軸支部３１０の軸孔の中心とは、前記幅方向において一列に並ぶように配置されている。
【００３１】
軸３３０は、軸支部３１０の軸孔及び軸受け部３２０の軸孔３２１に挿入された棒である。軸３３０を支点に第１蓋部２００ａが栓体１００に対して閉位置から開位置にかけて回動可能となる。前記閉位置は、図１Ａに示すように、第１蓋部２００ａが栓体１００の開口１５１及び飲み口１６０を閉塞する位置である。前記開位置は、図１Ｂに示すように、第１蓋部２００ａが栓体１００の開口１５１及び飲み口１６０を開放する位置である。第１蓋部２００ａが閉位置に位置している状態で、図２Ａ〜図２Ｃに示すように、第１蓋部２００ａの係止凸部２６０ａが栓体１００の前側板１３０の孔１３１から収容空間Ｓ内に挿入されている。第１蓋部２００ａが開位置に位置している状態で、図２Ｄに示すように、係止凸部２６０ａは栓体１００の前側板１３０の孔１３１及び収容空間Ｓから抜かれる。
【００３２】
各付勢部４００は捩じりコイルバネであって、図示しないコイルと、第１、第２アーム４１０、４２０とを有している。前記コイルは、軸支部３１０の収容孔内に収容されている。第１アーム４１０はコイルの一端に連続しており、軸支部３１０のスリットから突出して栓体１００の天板１５０に当接している。第２アーム４２０は、コイルの他端に連続しており、軸支部３１０と軸受け部３２０との間の隙間から突出して第１蓋部２００ａの天板２２０ａの下面に当接している。これにより、付勢部４００が第１蓋部２００ａを開位置へ付勢している。
【００３３】
第２蓋部２００ｂは、図１Ａ〜図２Ｄに示すように、樹脂製の円形のカップである。第２蓋部２００ｂの内形は、第１蓋部２００ａの第２筒２３０ａの外径よりも若干大きい。第２蓋部２００ｂが、第２筒２３０ａに周方向に回転自在に取り付けられている。第２蓋部２００ｂには、第１蓋部２００ａの閉塞部２５０ａよりも小さい半月状の出し入れ口２１０ｂが設けられている。出し入れ口２１０ｂは、第２蓋部２００ｂの回転に応じて、閉塞部２５０ａに閉塞された閉塞位置から、閉塞部２５０ａから一部が開放される半開放位置を経て、閉塞部２５０ａから全部が開放される開放位置まで移動可能である。出し入れ口２１０ｂは、半開放位置及び開放位置で第１蓋部２００ａの収容凹部２４０ａに連通する。これにより、出し入れ口２１０ｂから収容凹部２４０ａ内のサプリメント等を取り出すことが可能となる。なお、第２蓋部２００ｂは、第１蓋部２００ａに閉塞位置から半開放位置まで回転自在に取り付けることができる。すなわち、出し入れ口２１０ｂの全てが開放されないように設計変更することが可能である。
【００３４】
ロック機構５００は、第１、第２ロック部５１０、５２０を有している。第１ロック部５１０は、図２Ａ〜図３Ｄに示すように、第１操作部５１１と、一対のロックアーム５１２とを有している。第１操作部５１１は、略矩形状のブロックである。第１操作部５１１の外形は、栓体１００の外筒１１０の切欠き部１１２の内形よりも小さい。第１操作部５１１は、栓体１００の収容空間Ｓに収容されると共に、切欠き部１１２から外筒１１０の外部に部分的に突出している。第１操作部５１１は、初期位置から可動位置にかけて移動可能である。初期位置は、図３Ａ及び図３Ｂに示すように、第１操作部５１１と内筒１２０との間に所定の間隙を有する位置である。可動位置は、図３Ｃ及び図３Ｄに示すように、第１操作部５１１が、内筒１２０に接近した位置である。
【００３５】
ロックアーム５１２は、第１操作部５１１の両端に連接され且つ栓体１００の内筒１２０に沿って延びた弾性変形可能な円弧状のアームであって、収容空間Ｓ内に配置されている。ロックアーム５１２は、基端部５１２ａと、先端部５１２ｂと、凸部５１２ｃとを有している。基端部５１２ａは、第１操作部５１１の両端に一体的に接続されている。第１操作部５１１が初期位置に位置している状態で、基端部５１２ａと内筒１２０との間に所定の間隙が生じており、先端部５１２ｂが収容空間Ｓに挿入された第１蓋部２００ａの係止凸部２６０ａの幅広部２６２ａを挟持している。このようにして第１ロック部５１０が、第１蓋部２００ａを付勢部４００に付勢力に抗して閉位置で保持する。第１操作部５１１が可動位置に位置している状態で、基端部５１２ａが内筒１２０に押し付けられる。このため、ロックアーム５１２が互いに離れる方向に弾性変形し、先端部５１２ｂが互いに離れるように変位する。これにより、先端部５１２ｂが係止凸部２６０ａの幅広部２６２ａを解放するので、第１蓋部２００ａが付勢部４００に付勢され、開位置へ自動的に回動する。
【００３６】
なお、先端部５１２ｂは、外筒１１０に対向する外面と、内筒１２０に対向する内面とを有している。先端部５１２ｂの上部には、凸部５１３ｃが設けられている。凸部５１３ｃは、外筒１１０の突出部１１１側に延びている。先端部５１２ｂが係止凸部２６０ａの幅広部２６２ａを挟持しているとき、凸部５１３ｃは、係止凸部２６０ａの幅狭部２６１ａの両側に位置している。
【００３７】
第２ロック部５２０は、図１Ａ及び図２Ａ〜図３Ｄに示すように、ベース５２１と、第２操作部５２２と、一対のロック片５２３とを有している。ベース５２１は、矩形状の板であって、第１蓋部２００ａの部屋部２１１ａ内に移動自在（すなわち、係止凸部２６０ａの突出方向に移動自在）に収容されている。第２操作部５２２はベース５２１の中央部に設けられている。第２操作部５２２の幅寸法は、部屋部２１１ａのガイド溝２１２ａの幅寸法より若干小さい。第２操作部５２２がガイド溝２１２ａに挿入され、ロック位置から解除位置にかけてガイドされるようになっている。
【００３８】
ロック片５２３は、ベース５２１の両端部の下端に連接され且つ前記突出方向に延びている。ベース５２１及び第２操作部５２２の移動に伴って、ロック片５２３は、収容位置から突出位置に移動可能である。第２操作部５２２が解除位置に位置している状態で、ロック片５２３はベース５２１と共に部屋部２１１ａ内に収容されている。これがロック片５２３の収容位置である。第２操作部５２２がロック位置に位置している状態で、図２Ａに示すように、ロック片５２３は部屋部２１１ａから突出し、係止凸部２６０ａの両側に配置される。これがロック片５２３の突出位置である。この突出位置で、ロック片５２３は、係止凸部２６０ａと共に栓体１００の孔１３１から収容空間Ｓに挿入可能である。ロック片５２３が収容空間Ｓに挿入されると、図３Ａに示すように、ロック片５２３が第１ロック部５１０のロックアーム５１２の先端部５１２ｂの外面に当接すると共に、先端部５１２ｂの凸部５１３ｃに外側（先端部５１２ｂの変位方向の反対側）から当接する。これにより、ロックアーム５１２が互いに離れる方向に弾性変形するのを防止される。このようにして第２ロック部５２０が、第１ロック部５１０が第１蓋部２００ａを閉位置で保持した状態でロックすることができる。
【００３９】
上述した蓋体Ｃは、図５に示す飲料容器本体１０に取り付け可能である。飲料容器本体１０は、ステンレス製の水筒である。飲料容器本体１０の図示しない口部に、蓋体Ｃの内筒１２０が螺着可能となっている。蓋体Ｃの開口１５１及び内筒１２０は、前記口部を通じて飲料容器本体Ｂの内部と連通可能である。蓋体Ｃは、飲料容器本体１０に取り付けられた状態で、以下のように使用される。
【００４０】
まず、図２Ｂ及び図３Ｂに示すように、使用者が第２ロック部５２０の第２操作部５２２をロック位置から解除位置に移動させる。すると、第２ロック部５２０のベース５２１が第１蓋部２００ａの部屋部２１１ａ内を移動し、ロック片５２３が部屋部２１１ａ内に収容される。これにより、ロック片５２３と第１ロック部５１０のロックアーム５１２の先端部５１２ｂとの当接と、ロック片５２３とロックアーム５１２の凸部５１３ｃとの当接とが解除される。すなわち、第２ロック部５２０の第１ロック部５１０に対するロックが解除される。
【００４１】
その後、図２Ｃ及び図３Ｃに示すように、使用者が第１操作部５１１を押下し、初期位置から可動位置にかけて移動させる。すると、ロックアーム５１２の基端部５１２ａが栓体１００の内筒１２０に押し付けられ、ロックアーム５１２が互いに互いに離れるように弾性変形する。これにより、ロックアーム５１２の先端部５１２ｂが互いに離れ（互いに離れるように変位し）、第１蓋部２００ａの係止凸部２６０ａを解放する。すると、図１Ｂ、図２Ｄ及び図３Ｄに示すように、第１蓋部２００ａが付勢部４００の付勢力によって回動し、閉位置から開位置に移動する。この状態で、使用者は、栓体１００の飲み口１６０に口を付けて、栓体１００の開口１５１から流れ出る飲料容器本体１０内の液体を飲むことができる。
【００４２】
第１操作部５１１が使用者の押下から解放されると、ロックアーム５１２が復元する。これにより、ロックアーム５１２の基端部５１２ａと内筒１２０との間に所定の間隙が生じ、ロックアーム５１２の先端部５１２ｂが互いに近づくように移動し且つ第１操作部５１１が可動位置から初期位置に復帰する。
【００４３】
飲み終わると、使用者は、第１蓋部２００ａを付勢部４００の付勢力に抗して開位置から閉位置へ回動させる。すると、図２Ｂ及び図３Ｂに示すように、第１蓋部２００ａの係止凸部２６０ａが栓体１００の孔１３１から収容空間Ｓに挿入される。このとき、係止凸部２６０ａがロックアーム５１２の先端部５１２ｂの間に挿入され、当該先端部５１２ｂに挟持される。
【００４４】
その後、使用者が第２ロック部５２０の第２操作部５２２を解除位置からロック位置に移動させる。すると、図２Ａ及び図３Ａに示すように、第２ロック部５２０のベース５２１が第１蓋部２００ａの部屋部２１１ａ内を移動し、ロック片５２３が部屋部２１１ａから突出し、栓体１００の孔１３１から収容空間Ｓに挿入される。すると、ロック片５２３がロックアーム５１２の先端部５１２ｂの外面に当接すると共に、凸部５１３ｃに外側（先端部５１２ｂの変位方向の反対側）から当接する。
【００４５】
以上のような飲料容器の蓋体Ｃによる場合、ロック機構５００の第１ロック部５１０は、第１操作部５１１を初期位置に復帰させるバネを必要としないので、第１ロック部５１０の部品点数を低減することができる。しかも、第１ロック部５１０は、栓体１００の外筒１１０と内筒１２０との間の収容空間Ｓに収容されており、第１操作部５１１が外筒１１０の切欠き部１１２から外筒１１０の外部に部分的に突出しているだけである。よって、第１ロック部５１０の栓体１００の外側への突出量を抑制することができるので、飲料容器本体１０及び蓋体Ｃが小型化されたとしても、第１操作部５１１が不格好に目立ち難くすることができる。
【００４６】
また、第１ロック部５１０の第１操作部５１１は、外筒１１０の切欠き部１１２に部分的に挿入される一方、第２ロック部５２０は、第１蓋部２００ａの部屋部２１１ａに収容されている。すなわち、第１、第２ロック部５１０、５２０は、異なる箇所に設けられているので、第１、第２ロック部５１０、５２０を各々小型化することができる。
【００４７】
なお、上述した蓋体及び飲料容器本体は、上記実施例に限定されるものではなく、特許請求の範囲の記載範囲において任意に設計変更することが可能である。以下、詳しく述べる。
【００４８】
上記実施例では、栓体１００は、外筒１１０と、内筒１２０と、前側板１３０と、連結部１４０と、天板１５０と、飲み口１６０とを有しているとした。しかし、栓体は、飲料容器本体の内部と連通可能な開口と、切欠き部が設けられた外筒と、前記外筒内に配置された内筒と、前記内筒と前記外筒との間の収容空間とを有している限り任意に設計変更することが可能である。
【００４９】
上記実施例では、外筒１１０は、当該外筒１１０の高さ寸法が後端部から前端部にかけて漸次低減するように傾斜した上縁と、フラットな下縁と、突出部１１１と、切欠き部１１２とを有するとした。しかし、外筒は、第１ロック部の第１操作部が部分的に突出可能な切欠き部を有する限り任意に設計変更することが可能である。
【００５０】
上記実施例では、内筒１２０の高さ寸法が、外筒１１０の高さ寸法よりも大きいとした。しかし、内筒は、外筒の内形よりも小さい外径を有し、当該外筒内に配置され、当該外筒との間に収容空間を形成し得るものである限り任意に設計変更することが可能である。例えば、内筒と外筒が同一高さとすることが可能である。この場合、内筒の上縁と外筒の上縁とをリング状の板で繋ぐことができる。前記板には、内筒と外筒との間の収容空間に連通する孔が形成された構成とすることが可能である。当該孔から第１蓋部の係止凸部及び第２ロック部のロック片が挿脱可能となる。
【００５１】
上記実施例では、開口１５１は、天板１５０に設けられているとした。しかし、開口は、飲料容器本体の内部と連通可能である限り任意に設計変更することが可能である。例えば、開口は、内筒により区画される空間とすることが可能である。
【００５２】
上記実施例では、第１蓋部２００ａは、第１筒２１０ａと、天板２２０ａと、第２筒２３０ａと、収容凹部２４０ａと、閉塞部２５０ａと、係止凸部２６０ａとを有しているとした。しかし、第１蓋部は、栓体の開口を塞ぐ閉位置から当該開口を開放する開位置にかけて前記栓体に回動自在に設けられており且つ当該第１蓋部が前記閉位置に位置しているとき、内筒と外筒との間の収容空間に挿入される係止凸部を有している限り任意に設計変更することが可能である。
【００５３】
上記実施例では、係止凸部２６０ａは、幅狭部２６１ａと、幅広部２６２ａとを有しているとした。しかし、係止凸部は、第１ロック部のロックアームの先端部に挟持され得る凸部である限り任意に設計変更することが可能である。
【００５４】
なお、第２筒２３０ａ、収容凹部２４０ａ及び閉塞部２５０ａは省略可能である。これらの省略に伴って、第２蓋部も省略可能である。上記実施例では、収容凹部２４０ａは、第２筒２３０ａと天板２２０ａとにより区画される空間であるとした。しかし、収容凹部は、第１蓋部に設けられた窪みである限り任意に設計変更することが可能である。上記実施例では、閉塞部は、半月状であるとしたが、第２蓋部の出し入れ口を閉塞し得る台座である限り任意に設計変更することが可能である。
【００５５】
上記実施例では、第２蓋部は、第１蓋部２００ａの第２筒２３０ａに回転自在に設けられているとした。しかし、第２蓋部は、第１蓋部に、収容凹部を開閉可能に設けられている限り任意に設計変更することが可能である。例えば、第２蓋部は、第１蓋部に回動自在に取り付けられ、収容凹部を開閉可能とすることが可能である。
【００５６】
上記実施例では、付勢部４００は捩じりコイルバネであって、図示しないコイルと、第１、第２アーム４１０、４２０とを有しているとした。しかし、付勢部は、第１蓋部を前記開位置へ付勢し得る限り任意に設計変更することが可能である。例えば、付勢部は、第１蓋部と栓体との間に介在するコイルスプリングやゴム等の弾性体とすることが可能である。
【００５７】
上記実施例では、ロック機構５００は、第１ロック部５１０と、第２ロック部５２０とを有しているとした。しかし、ロック機構は、少なくとも第１ロック部を有していれば良い。換言すると、第２ロック部は省略可能である。
【００５８】
上記実施例では、第１ロック部５１０の第１操作部５１１は、栓体１００の収容空間Ｓに収容されると共に、切欠き部１１２から外筒１１０の外部に部分的に突出した略矩形状のブロックであるとした。しかし、第１操作部は、外筒の切欠き部から当該外筒の外部に部分的に突出しており且つ初期位置から内筒に接近する可動位置にかけて移動可能である限り任意に設計変更することが可能である。
【００５９】
上記実施例では、第１ロック部５１０の一対のロックアーム５１２は、凸部５１３ｃを有しているとした。しかし、凸部５１３ｃは省略可能である。ロックアームは、外筒と内筒との間の収容空間内に配置され、前記内筒に沿って延びた弾性変形可能な円弧状のアームであって、第１操作部の両端に接続された基端部と、先端部とを有しており、第１操作部が初期位置に位置しているとき、前記ロックアームの先端部が前記収容空間内に位置した係止凸部を挟持し、前記第１操作部が可動位置に位置しているとき、前記ロックアームの基端部が前記内筒に押し付けられ、当該ロックアームが互いに離れる方向に弾性変形し、当該ロックアームの先端部が前記係止凸部を解放するようになっている限り任意に設計変更することが可能である。
【００６０】
上記実施例では、第２ロック部５２０のベース５２１は、第１蓋部２００ａの部屋部２１１ａ内に移動自在に収容されているとした。しかし、ベースは、第１蓋部に係止凸部の突出方向に移動自在に設けられている限り任意に設計変更することが可能である。
【００６１】
上記実施例では、第２ロック部５２０の第２操作部５２２は、ベース５２１の中央部に設けられ、部屋部２１１ａのガイド溝２１２ａに挿入され、ロック位置から解除位置にかけてガイドされるようになっているとした。しかし、第２操作部は、ベースに操作可能に設けられている限り任意に設計変更することが可能である。
【００６２】
上記実施例では、第２ロック部５２０のロック片５２３が、突出位置で栓体１００の孔１３１から収容空間Ｓに挿入され、ロックアーム５１２の先端部５１２ｂの外面に当接すると共に、先端部５１２ｂの凸部５１３ｃに外側から当接するとした。しかし、ロック片は、突出位置で、係止凸部と共に外筒と内筒との間の収容空間に挿入され、ロックアームの先端部の外面に当接する又はロックアームの凸部に外側に位置する限り任意に設計変更することが可能である。
【００６３】
なお、上記実施例では、蓋体の各部を構成する素材、形状、寸法、数及び配置等はその一例を説明したものであって、同様の機能を実現し得る限り任意に設計変更することが可能である。上記実施例では、飲料容器本体１０は、ステンレス製の水筒であるとしたが、液体を入れることが可能であり且つ上記実施例及び上述した変形例の蓋体が固着可能な飲料容器である限り任意に設計変更することが可能である。例えば、飲料容器本体は、魔法瓶又はステンレス製以外（例えば、樹脂製、ガラス製等）の水筒とすることが可能である。なお、本発明の蓋体は、小型の飲料容器本体に装着可能なものに限定されず、大型の飲料容器本体にも装着可能である。
【符号の説明】
【００６４】
Ｃ・・・・・・蓋体
１００・・・・栓体
１１０・・・外筒
１２０・・・内筒
Ｓ・・・・・収容空間
１３０・・・前側板
１４０・・・連結部
１５０・・・天板
１５１・・開口
１６０・・・飲み口
２００ａ・・・第１蓋部
２１０ａ・・第１筒
２２０ａ・・天板
２３０ａ・・第２筒
２４０ａ・・収容凹部
２５０ａ・・閉塞部
２００ｂ・・・第２蓋部
２１０ｂ・・出し入れ口
３００・・・・ヒンジ機構
４００・・・・付勢部
５００・・・・ロック機構
５１０・・・第１ロック部
５１１・・第１操作部
５１２・・ロックアーム
５１２ａ・基端部
５１２ｂ・先端部
５１２ｃ・凸部
５２０・・・第２ロック部
５２１・・ベース
５２１・・第２操作部
５２３・・ロック片
１０・・・・・飲料容器本体
【図１Ａ】
0005600712.tif 000002
【図１Ｂ】
0005600712.tif 000003
【図２Ａ】
0005600712.tif 000004
【図２Ｂ】
0005600712.tif 000005
【図２Ｃ】
0005600712.tif 000006
【図２Ｄ】
0005600712.tif 000007
【図３Ａ】
0005600712.tif 000008
【図３Ｂ】
0005600712.tif 000009
【図３Ｃ】
0005600712.tif 000010
【図３Ｄ】
0005600712.tif 000011
【図４】
0005600712.tif 000012
【図５】
0005600712.tif 000013